(57)【要約】【課題】発熱源となる半導体デバイスを冷却するクロスフローファンの風量、流速を増減可能とする。【解決手段】  ユニット化したクロスファンモジュール２２と駆動機構１１とから構成し、クロスフローファンは、駆動機構に１以上のファンモジュールを重ねて配置することにより、所要の風量、流速とする。ファンモジュールは、羽根部１２１及びファンフレーム１２２及び回転軸１２３からなり、ファンフレーム上下に第一接合部及び第二接合部を設け、且つ第一接合部と第二接合部は互いに接続設置できるようにする。回転軸に第一軸接部と第二軸接部を設け、且つ第一軸接部と第二軸接部は互いに接続設置できるようにする。羽根部を回転軸上に組み込んで設け、且つ回転軸とファンフレームを相互に枢接し、駆動機構によって、ファンを駆動する。【選択図】  図２
2006299872.tif 000002
【特許請求の範囲】
【請求項１】
駆動機構に１以上のファンモジュールを重ね合せて組合せた配置とするユニット式クロスフローファンであって、
該ファンモジュールは羽根部、ファンフレーム及び回転軸を具え、
該ファンフレーム上下に第一接合部および第二接合部を設け、且つ第一接合部と第二接合部は互いに接続可能な構造からなり、
該回転軸両端に第一軸接部と第二軸接部を設け、且つ第一軸接部と第二軸接部は互いに接続可能な構造からなり、
該羽根部を回転軸上に組み込んで設け、且つ回転軸とファンフレームを相互に枢接し、駆動機構の作動によって、ファンがファンフレーム内で回転するようにして成ることを特徴とするユニット式クロスフローファン。
【請求項２】
該駆動機構はモータであることを特徴とする請求項１記載のユニット式クロスフローファン。
【請求項３】
該羽根部の中央箇所に軸部を設けて成ることを特徴とする請求項１記載のユニット式クロスフローファン。
【請求項４】
該回転軸とファンフレームの間に軸受を設けて成ることを特徴とする請求項１記載のユニット式クロスフローファン。
【発明の詳細な説明】
【技術分野】
【０００１】
本発明はユニット式クロスフローファンに関し、主にファンの構造を連結式ファン構造としたユニット式クロスフローファンに関する。
【背景技術】
【０００２】
ファンの主要機能は被冷却物に循環気流を提供して、被冷却物の放熱の目的を達成することにある。ファンが産出する循環気流を増大できれば、放熱効果が向上する。
しかし、ファンが産出する循環気流を増大するには、その改善方法は（１）駆動機構（モータ）の改良、および（２）ファンの改良に大別できる。駆動機構の改良は更に大まかに（ａ）回転速度の改良、および（ｂ）回転安定性の改良に分けられる。ファンの改良は（ａ）ファン本体の改良、および（ｂ）ファンの増加に分けられる。
以上のような改良で循環気流の増大を図る目的は達成されるが、こういった改良では組合せが容易、放熱面積の増大、放熱需要に応じたファン数量の調整などといった機能を兼ね備えることができない。
【特許文献１】特開２００５−１２２１２号公報
【発明の開示】
【発明が解決しようとする課題】
【０００３】
本発明は、発熱源となる半導体デバイスなどの放熱の必要性に応じてファンの数量を調整することができるユニット式クロスフローファンを提供することを主要課題とする。
さらに本発明は、組合せが容易なユニット式クロスフローファンを提供することを副次課題とする。
本発明は、放熱面積を増大したユニット式クロスフローファンを提供することをもう一つの課題とする。
【課題を解決するための手段】
【０００４】
本発明は、ユニット式クロスフローファンであって、駆動機構上にファンモジュールを取り付けて設け、ファンモジュールは一個以上の羽根部、一個以上のファンフレームおよび一個以上の回転軸を具える。ファンフレームに第一接合部および第二接合部を設け、且つ第一接合部と第二接合部は互いに接続設置できるようにする。回転軸に第一軸接部と第二軸接部を設け、且つ第一軸接部と第二軸接部は互いに接続設置できるようにする。羽根部を回転軸上に組み込んで設け、且つ回転軸とファンフレームを相互に枢接し、駆動機構の回転によって、ファンがファンフレーム内で回転するようにする。
【発明の効果】
【０００５】
本発明が提供するユニット式クロスフローファンによって、放熱の必要性に応じてファンの数量を調整できるとともに、複数のファンの組合せが容易になった。また放熱面積を増大することができる。
【発明を実施するための最良の形態】
【０００６】
図１と図２に示すように本発明が提供するユニット式クロスフローファンの好適な実施例では、主に駆動機構１１（モータであってよい）とファンモジュール１２を重ねて配置する。ファンモジュール１２は、羽根部１２１、ファンフレーム１２２及び回転軸１２３を各一個具えるが、２以上のファンモジュールユニットを重ねて組み合わせることにより、これらを２以上備えるものとして構成することができる。ファンフレーム１２２は上下に第一接合部１２２ａおよび第二接合部１２２ｂを設け、第一接合部１２２ａと第二接合部１２２ｂを相互に接続する構造とする。回転軸１２３にも第一軸接部１２３ａおよび第二軸接部１２３ｂを設け、第一軸接部１２３ａと第二軸接部１２３ｂを相互に接続できる構造とする。羽根部１２１の中央に軸部１２１ａを設け、軸部１２１ａ中心軸方向に軸孔１２１ｂを相通し、この軸孔１２１ｂに回転軸１２３を挿通して、回転軸１２３とファンフレーム１２２の間に軸受１２３ｃと軸受１２３ｄを設け、軸受１２３ｃと軸受１２３ｄで回転軸１２３をファンフレーム１２２に回転可能に支持させ、駆動機構１１により羽根部１２１はファンフレーム１２２内で回転する。
【０００７】
駆動機構１１には駆動軸１１１側面に受け孔１１１ａを開設し、他方、ファンモジュールの回転軸１２３の第一軸接部１２３ａに駆動軸１１１を嵌合する取付孔１２３ｅを開口し、取付孔１２３ｅ内側に収容部１２３ｆを開設し、収容部１２３ｆの開口側に開口１２３ｇを備えたストッパ１２３ｈを設け、収容部１２３ｆの別の一側に固定孔１２３ｉを設け、固定孔１２３ｉは固定部材１２３ｊにより固定封止する。ボール１２３ｋおよび弾性部材１２３ｍを順に収容部１２３ｆ中に配置し、最後に固定部材１２３ｊを固定孔１２３ｉ中に固定して、ボール１２３ｋがストッパ１２３ｈ開口から突出配置されるようにする。駆動機構１１の駆動軸１１１とファンモジュールの第一軸接部１２３ａの取付孔１２３ｅとを接続設置するとき、ボール１２３ｋは駆動軸１１１に圧迫されて弾性部材１２３ｍを圧縮して押し込み、ボール１２３ｋを弾性部材１２３ｍの圧縮に伴って内側へ移動させる。
このとき駆動軸１１は下に向かって挿入されていき、駆動軸１１１の受け孔１１１ａがボール１２３ｋと嵌合できる位置まで下がると、ボール１２３ｋは弾性部材の反発力を受けて収容部１２３ｆの開口１２３ｇから突出し、ボール１２３ｋの収容部１２３ｆの開口１２３ｇから突出した部分は同時に受け孔１１１ａ内に圧入して、駆動機構１１の駆動軸１１１とファンモジュールの回転軸１２３の取付孔１２３ｅが接続固定される。
【０００８】
このほか、駆動機構１１に係合部１１１ｂを設け、係合部１１１ｂ上にフック部１１１ｃを設け、他方のファンモジュールの第一接合部１２２ａ上にも係合部１１ｂのフック部１１１ｃと係合できるフック部１２２ｆを設け、係合部１１１ｂのフック部１１１ｃと第一接合部１２２ａのフック部１２２ｆを相互に係合して、駆動機構１１の係合部１１１ｂとファンモジュールの第一接合部１２２ａを接続する。第二接合部１２２ｂにも他のファンモジュールとの接続のためフック部１２２ｇを設ける。
【０００９】
以上の構造によって、駆動機構１１が作動すると、本発明のファンモジュール１２を図１の状態として実施したときの羽根部１２１を回転させ、形成した循環気流はファンフレーム１２２に開設した入口１２２ｈから進入してファンフレーム１２２の反対側に開設した出口１２２ｉから流出する。
【００１０】
図３、図４に示すように、本発明の第二の好適な実施例では、ファンフレーム２２２に第一接合部２２２ａおよび第二接合部２２２ｂを設け、第一接合部２２２ａと第二接合部２２２ｂは相互に接続設置できる構造とし、回転軸２２３に第一軸接部２２３ａおよび第二軸接部２２３ｂを設けて、第一軸接部２２３ａと第二軸接部２２３ｂとは相互に接続設置できる構造とし、羽根部２２１の中央箇所に軸部２２１ａを設け、軸部２２１ａ中心に軸孔２２１ｂを開設し、軸孔２２１ｂに回転軸を挿入設置し、回転軸２２３とファンフレームとの間に軸受２２３ｃおよび軸受２２３ｄを設け、軸受２２３ｃと軸受２２３ｄで回転軸２２３とファンフレーム２２２とを枢接する。
【００１１】
実装時には、第二軸接部１２３ｂに受け孔１２３ｎを開設し、回転軸２２３の第一軸接部２２３ａに第二軸接部１２３ｂを取り付けることができる取付孔２２３ｅを開設し、取付孔２２３ｅ内側に収容部２２３ｆを開設し、収容部２２３ｆの開口部に開口２２３ｇを備えるストッパ２２３ｈを設け、収容部２２３ｆの別の一側に固定孔２２３ｉを設け、固定孔２２３ｉは固定部材２２３ｊを固設できるようにする。ボール２２３ｋおよび弾性部材２２３ｍを順に収容部２２３ｆ中に配置し、最後に固定部材２２３ｊを固定孔２２３ｉ中に固設して、ボール２２３ｋが緊密にストッパ２２３ｈ開口２２３ｇに突出配置されるようにする。第二軸接部１２３ｂと第一軸接部２２３ａの取付孔２２３ｅを接続設置するとき、ボール２２３ｋは第二軸接部１２３ｂに圧迫されて弾性部材２２３ｍを押し込み、弾性部材２２３ｍは圧力を受けて反発力を蓄え、ボール２２３ｋも弾性部材２２３ｍの圧縮に伴って内側へ移動し、第二軸接部１２３ｂがボール２２３ｋを圧迫できなくなるまで移動する。このとき第二軸接部１２３ｂは下に向かって挿入されていき、第二軸接部１２３ｂの受け孔１２３ｎがボール２２３ｋと嵌合できる位置まで下がると、ボール２２３ｋは弾性部材の反発力を受けて収容部２２３ｆの開口２２３ｇから突出し、ボール２２３ｋの収容部２２３ｆの開口２２３ｇから突出した部分は同時に受け孔１２３ｎ内に圧入して、第二軸接部１２３ｂと第一軸接部２２３ａの取付孔２２３ｅが接続される。
【００１２】
このほか、第二接合部１２２ｂにフック部１２２ｇを設け、第一接合部２２２ａ上にも第二接合部１２２ｂのフック部１２２ｇと係合できるフック部２２２ｆを設け、第二接合部１２２ｂのフック部１２２ｇと第一接合部２２２ａのフック部２２２ｆを相互に係合して、第二接合部１２２ｂと第一接合部１２２ａを接続する。第二接合部２２２ｂにもフック部２２２ｇを設けて別のファンモジュールと接続できるようにする。
【００１３】
以上の構造によって、駆動機構１１が作動すると、本発明のファンモジュール２２のの羽根部１２１、２１１を回転させ、産出した循環気流はファンフレーム１２２、２２２に開設した入口１２２ｈ、２２２ｈから進入してファンフレーム１２２、２２２に開設した出口１２２ｉ、２２２ｉから流出する。
【００１４】
図５および図６に示すように、本発明の第三の好適な実施例では、第二の好適な実施例の態様を並列、或は直列に組み合わせ、全体の放熱面積を軸方向に増加するだけでなく、径方向にも増加することができるようにした。
【図面の簡単な説明】
【００１５】
【図１】本発明の第一の好適な実施例のファンモジュールの立体略図である。
【図２】本発明の第一の好適な実施例の分解断面略図である。
【図３】本発明の第二の好適な実施例のファンモジュールの立体略図である。
【図４】本発明の第二の好適な実施例の分解断面略図である。
【図５】本発明の第三の好適な実施例のファンモジュールの立体略図である。
【図６】本発明の第三の好適な実施例の分解断面略図である。
【符号の説明】
【００１６】
１１          駆動機構
１１１        駆動軸
１１１ａ      受け孔
１１１ｂ      係合部
１１１ｃ      フック部
１２          ファンモジュール
１２１        羽根部
１２１ａ      軸部
１２１ｂ      軸孔
１２２        ファンフレーム
１２２ａ      フック部
１２２ｇ      フック部
１２２ｈ      入口
１２２ｉ      出口
１２３        回転軸
１２３ａ      第一軸接部
１２３ｂ      第二軸接部
１２３ｃ      軸受
１２３ｄ      軸受
１２３ｅ      取付孔
１２３ｆ      収容部
１２３ｇ      開口
１２３ｈ      ストッパ
１２３ｉ      固定孔
１２３ｊ      固定部材
１２３ｋ      ボール
１２３ｍ      弾性部材
１２３ｎ      受け孔
２２          ファンモジュール
２２１        羽根部
２２１ａ      軸部
２２１ｂ      軸孔
２２２        ファンフレーム
２２２ａ      第一接合部
２２２ｂ      第二接合部
２２２ｆ      フック部
２２２ｇ      フック部
２２２ｈ      入口
２２２ｉ      出口
２３          回転軸
２２３ａ      第一軸接部
２２３ｂ      第二軸接部
２２３ｃ      軸受
２２３ｄ      軸受
２２３ｅ      取付孔
２２３ｆ      収容部
２２３ｇ      開口
２２３ｈ      ストッパ
２２３ｉ      固定孔
２２３ｊ      固定部材
２２３ｋ      ボール
２２３ｍ      弾性部材
【図１】
2006299872.tif 000003
【図２】
2006299872.tif 000004
【図３】
2006299872.tif 000005
【図４】
2006299872.tif 000006
【図５】
2006299872.tif 000007
【図６】
2006299872.tif 000008